(57)【要約】【課題】製造コストの削減を図りながら、泥除カバーの形状を、所定箇所を備える形状から所定箇所を備えない形状に変更する場合だけでなく、所定箇所を備えない形状から所定箇所を備える形状に変更する場合においても簡単に変更できるようにする。【解決手段】走行車体の後部に作業装置を連結し、走行車体の車輪が作業装置に向けて撥ね上げた泥を受け止める泥除カバー５０を備え、泥除カバー５０に、基本形状を維持する主カバー部５１と、変形可能な補助カバー部５２とを備えて、泥除カバー５０を、補助カバー部５２の変形による形状の変更が可能となるように構成した。【選択図】図９
2014100125.tif 000002
【特許請求の範囲】
【請求項１】
走行車体の後部に作業装置を連結し、
前記走行車体の車輪が前記作業装置に向けて撥ね上げた泥を受け止める泥除カバーを備え、
前記泥除カバーに、基本形状を維持する主カバー部と、変形可能な補助カバー部とを備えて、前記泥除カバーを、前記補助カバー部の変形による形状の変更が可能となるように構成した水田作業車の泥除け構造。
【請求項２】
前記補助カバー部を所定の形状で保持する保持手段を備えた請求項１に記載の水田作業車の泥除け構造。
【請求項３】
前記補助カバー部を、その全体が可撓性を有するように構成した請求項１又は２に記載の水田作業車の泥除け構造。
【請求項４】
前記泥除カバーの下端部を前記補助カバー部により形成するように構成した請求項１〜３のいずれか一つに記載の水田作業車の泥除け構造。
【請求項５】
走行車体側と作業装置側とにわたって架設する架設部材を備え、
前記泥除カバーにおける前記架設部材の架設対応箇所を前記補助カバー部により形成するように構成した請求項１〜４のいずれか一つに記載の水田作業車の泥除け構造。
【請求項６】
前記作業装置に、走行車体側からの操作が可能な操作具を備え、
前記泥除カバーにおける前記操作具の設置対応箇所を前記補助カバー部により形成するように構成した請求項１〜５のいずれか一つに記載の水田作業車の泥除け構造。
【発明の詳細な説明】
【技術分野】
【０００１】
本発明は、走行車体の後部に作業装置を連結し、前記走行車体の車輪が前記作業装置に向けて撥ね上げた泥を受け止める泥除カバーを備えた水田作業車の泥除け構造に関する。
【背景技術】
【０００２】
上記のような水田作業車の泥除け構造としては、泥除カバーを樹脂材で成形するとともに、泥除カバーに外形調整用の薄肉切断線を形成し、泥除カバーの所定箇所を薄肉切断線に沿って切断して外形を調整することにより、複数機種の泥除カバー、あるいは、左右の泥除カバーを共通素材から形成できるように構成したものがある（例えば特許文献１参照）。
【先行技術文献】
【特許文献】
【０００３】
【特許文献１】特開２００７−２６７６６４号公報（段落番号００３９、段落番号００４１、図２、図６、図９）
【発明の概要】
【発明が解決しようとする課題】
【０００４】
上記の構成では、泥除カバーに外形調整用の薄肉切断線を形成することから、金型が複雑になって製造コストが嵩むようになる。
【０００５】
又、泥除カバーの所定箇所を薄肉切断線に沿って切断することにより、泥除カバーの形状を、その所定箇所を備える形状から所定箇所を備えない形状に変更することから、所定箇所を備えない形状から所定箇所を備える形状への変更が行えない、又は、その変更に苦慮する、などの不都合を招くようになっていた。
【０００６】
本発明の目的は、製造コストの削減を図りながら、泥除カバーの形状を、所定箇所を備える形状から所定箇所を備えない形状に変更する場合だけでなく、所定箇所を備えない形状から所定箇所を備える形状に変更する場合においても簡単に変更できるようにすることにある。
【課題を解決するための手段】
【０００７】
本発明の課題解決手段は、
走行車体の後部に作業装置を連結し、
前記走行車体の車輪が前記作業装置に向けて撥ね上げた泥を受け止める泥除カバーを備え、
前記泥除カバーに、基本形状を維持する主カバー部と、変形可能な補助カバー部とを備えて、前記泥除カバーを、前記補助カバー部の変形による形状の変更が可能となるように構成した。
【０００８】
この手段によると、補助カバー部を変形させることにより、泥除カバーを、変形前の補助カバー部が形成していた所定箇所を備える形状から所定箇所を備えない形状に簡単に変更することができる。又、補助カバー部を変形前の形状に戻すことにより、泥除カバーを、所定箇所を備えない形状から所定箇所を備える形状に簡単に変更することができる。
【０００９】
そして、泥除カバーに外形調整用の薄肉切断線を形成する必要がないことから、金型の複雑化を防止することができ、製造コストの削減を図ることができる。
【００１０】
しかも、補助カバー部を着脱式に構成した場合に招く虞のある補助カバー部の紛失を回避することができる。
【００１１】
従って、製造コストの削減を図りながら、補助カバー部の紛失を招くことなく、泥除カバーの形状を、所定箇所を備える形状から所定箇所を備えない形状に変更する場合だけでなく、所定箇所を備えない形状から所定箇所を備える形状に変更する場合においても簡単に変更することができる。
【００１２】
本発明をより好適なものにするための手段の一つとして、
前記補助カバー部を所定の形状で保持する保持手段を備えた。
【００１３】
この手段によると、変形可能な補助カバー部を所定の形状にて確実に保持することができる。
【００１４】
従って、泥除カバーの形状が不測に変更される不都合の発生を防止することができる。
【００１５】
本発明をより好適なものにするための手段の一つとして、
前記補助カバー部を、その全体が可撓性を有するように構成した。
【００１６】
この手段によると、補助カバー部の変形による泥除カバーの長さ調節や横幅調節などを無段階に行うことができる。
【００１７】
従って、種々の状態に適した泥除カバーの形状変更を可能にすることができる。
【００１８】
本発明をより好適なものにするための手段の一つとして、
前記泥除カバーの下端部を前記補助カバー部により形成するように構成した。
【００１９】
この手段によると、泥除カバーの取り付け箇所や泥除カバーを装備する機種によって異なる泥除カバーの対地高さ、泥除カバーを作業装置に取り付けた場合の作業高さの調節に伴う泥除カバーの対地高さの変化、あるいは、作業装置が例えば苗植付装置である場合における整地ロータの有無、などに応じて、泥除カバーにおける下端部の長さを調節することができる。
【００２０】
従って、種々の状態に適した泥除カバーにおける下端部の長さ調節を可能にすることができる。
【００２１】
本発明をより好適なものにするための手段の一つとして、
走行車体側と作業装置側とにわたって架設する架設部材を備え、
前記泥除カバーにおける前記架設部材の架設対応箇所を前記補助カバー部により形成するように構成した。
【００２２】
この手段によると、補助カバー部を変形させることにより、泥除カバーにおける架設部材の架設対応箇所を簡単に開放することができ、その架設対応箇所を利用して、架設部材を、走行車体側と作業装置側とにわたって簡単に架設することができる。又、補助カバー部を変形前の形状に戻すことにより、泥除カバーにおける架設部材の架設対応箇所を簡単に閉塞することができる。
【００２３】
従って、泥除カバーの形状を、架設部材の架設を許容する形状と、架設部材の架設対応箇所を閉塞する形状とに簡単に変更することができる。
【００２４】
本発明をより好適なものにするための手段の一つとして、
前記作業装置に、走行車体側からの操作が可能な操作具を備え、
前記泥除カバーにおける前記操作具の設置対応箇所を前記補助カバー部により形成するように構成した。
【００２５】
この手段によると、補助カバー部を変形させることにより、泥除カバーにおける操作具の設置対応箇所を簡単に開放することができ、その設置対応箇所を利用して、操作具を、走行車体側からの操作が可能な状態に簡単に装備することができる。又、補助カバー部を変形前の形状に戻すことにより、泥除カバーにおける操作具の設置対応箇所を簡単に閉塞することができる。
【００２６】
従って、泥除カバーの形状を、操作具の装備を許容する形状と、操作具の設置対応箇所を閉塞する形状とに簡単に変更することができる。
【図面の簡単な説明】
【００２７】
【図１】施肥無し仕様で整地ロータ無し仕様に構成した乗用田植機の左側面図である。
【図２】施肥無し仕様で整地ロータ無し仕様に構成した乗用田植機における後部の平面図である。
【図３】泥除カバーをミッドマウント施肥非対応仕様で整地ロータ非対応仕様に仕様変更した状態を示す苗植付装置の正面図である。
【図４】泥除カバーをミッドマウント施肥非対応仕様で整地ロータ非対応仕様に仕様変更した状態を示す苗植付装置の左側面図である。
【図５】植え付け深さ調節構造及び苗取り量調節構造を示す要部の縦断左側面図である。
【図６】補助ステップの構成を示す要部の左側面図である。
【図７】補助ステップの構成を示す要部の平面図である。
【図８】運転座席を高さ調節可能に構成した状態を示す要部の左側面図である。
【図９】泥除カバーの構成を示す泥除カバーの正面図である。
【図１０】泥除カバーの取り付け構造を示す要部の縦断左側面図である。
【図１１】ミッドマウント施肥仕様で整地ロータ有り仕様に構成した乗用田植機の左側面図である。
【図１２】泥除カバーをミッドマウント施肥対応仕様で整地ロータ対応仕様に仕様変更した状態を示す苗植付装置の正面図である。
【図１３】泥除カバーをミッドマウント施肥対応仕様で整地ロータ対応仕様に仕様変更した状態を示す苗植付装置の左側面図である。
【図１４】泥除カバーをミッドマウント施肥対応仕様で整地ロータ対応仕様に仕様変更した状態を示す要部の縦断左側面図である。
【図１５】泥除カバーを操作具対応仕様に仕様変更した別実施形態を示す苗植付装置の正面図である。
【図１６】泥除カバーを操作具対応仕様に仕様変更した別実施形態を示す泥除カバーの正面図である。
【発明を実施するための形態】
【００２８】
以下、本発明を実施するための形態の一例として、本発明に係る水田作業車の泥除け構造を、水田作業車の一例である８条植え用の乗用田植機に適用した実施形態を図面に基づいて説明する。
【００２９】
図１〜３に示すように、本実施形態で例示する８条植え用の乗用田植機は、乗用型の４輪駆動形式に構成した走行車体１の後部に、単動型の油圧シリンダを採用した昇降シリンダ２の作動によって上下揺動する平行四連リンク式のリンク機構３を連結している。そして、このリンク機構３の後端下部に、前後向きの支軸（図示せず）を介して、作業装置Ａの一例としての８条植え用の苗植付装置４をローリング可能に連結している。これにより、走行車体１の後部に苗植付装置４を昇降駆動可能かつローリング可能に装備している。又、最大８条の苗の植え付けが可能な８条植え用に構成している。
【００３０】
走行車体１は、その前部に防振搭載したエンジン５からの動力を、主変速装置として備えた静油圧式無段変速装置（図示せず）、及び、トランスミッションケース６に副変速装置として内蔵したギア式変速装置（図示せず）、などを介して、その前部に配備した左右の前輪７、その後部に配備した左右の後輪８、各後輪８の車体内側に配備した内側補助車輪９、及び、各後輪８の車体外側に配備した外側補助車輪１０に伝達するように構成している。走行車体１の後部側には、搭乗ステップ１１、前輪操舵用のステアリングホイール１２、及び、前後方向に位置調節可能な運転座席１３、などを配備して搭乗運転部１４を形成している。走行車体１の左右には、搭乗面積を左右に拡張する左右の拡張ステップ１５を配備している。搭乗運転部１４の後方には、左右の後輪８及び各補助車輪９，１０などの上方箇所に位置して、苗植付装置４への苗補給などを行う際には踏み台として使用可能に構成した樹脂製のブロー成形品からなる後部ステップ１６を配備している。後部ステップ１６の左右には、苗植付装置４の左右両端部への苗補給などを行う際に踏み台として使用可能に構成した補助ステップ１７を配備している。
【００３１】
図１〜４に示すように、苗植付装置４は、８条分のマット状苗を載置可能に形成した樹脂製の苗載台１８、苗載台１８を左右方向に一定ストロークで往復移動させる横送り機構（図示せず）、苗載台１８が左右のストローク端に達するごとに苗載台上の各マット状苗を苗載台１８の下端に向けて所定ピッチで縦送りする縦送り機構１９、苗載台１８に載置した各マット状苗の下端から所定量ずつの苗を切り取って圃場の泥土部に植え付ける８基のロータリ式の植付機構２０、これらの各機器に走行車体１からの動力を分配する動力分配機構（図示せず）などを内蔵した動力分配ケース２１、及び、走行車体１の走行に伴って圃場を滑走することにより苗植え付け予定箇所などの圃場泥面を整地する５つの整地フロート２２、などを植付フレーム２３に備えて最大８条の苗の植え付けを行うように構成している。
【００３２】
植付フレーム２３は、苗植付装置４の前下部に左右向きに配備した角パイプ状の主支持部材２４、主支持部材２４に前傾姿勢で立設した支持枠２５、及び、左右方向に一定間隔をあけて並ぶ状態で主支持部材２４から後方に向けて延出する支持部材兼用の４つの伝動ケース２６、などから構成している。そして、各伝動ケース２６の後端部における左右両側に植付機構２０を配備している。支持枠２５は、主支持部材２４に連結する左右の支柱部２５Ａ、及び、左右の支柱部２５Ａの上端にわたる横架部２５Ｂ、などにより門形に構成している。
【００３３】
主支持部材２４の左右両端部には、苗植付装置４に沿って起立した格納姿勢と、苗植付装置４から横外方に張り出した作用姿勢とにわたって起伏揺動可能に構成した線引マーカ２７を備えている。左右の各線引マーカ２７は、電動モータからなる左右のマーカモータ２８の正逆転作動により、格納姿勢と作用姿勢とに切り換えることができる。そして、作用姿勢に切り換えた状態では、その遊端部が圃場泥面に突入し、現在の走行経路での走行に伴って、現在の走行経路に隣接する次回の走行経路での走行時に使用する走行基準線を圃場泥面に形成するように構成している。左右のマーカモータ２８は、支持枠２５における対応する支柱部２５Ａの上下中間箇所に固定している。
【００３４】
苗載台１８には、比較的安価で透明性が高く機械的強度に優れたポリカーボネートを採用している。これにより、苗植付装置４を浮上させた移動走行時に、透明の苗載台１８を介した後方の視認を可能にすることができる。その結果、路上走行などにおける後方確認を行い易くすることができ、路上走行などを容易にすることができる。又、苗植付装置４を接地させた作業走行時に、苗載台１８に載置したマット状苗の各条ごとの消費量、あるいは、各植付機構２０による苗の植え付け状態などの視認を可能にすることができる。しかも、苗載台１８が高い強度を有することにより、苗載台１８の他物との接触などに起因した破損や変形を抑制することができる。
【００３５】
図１〜５に示すように、苗載台１８は、その背面の下端部に、苗載台１８の左右両端部にわたる横長の下側摺動部材２９を備えている。又、その背面の上部側に、苗載台１８の左右両端部にわたる横長の上側摺動部材３０を備えている。下側摺動部材２９は、各伝動ケース２６に苗取量調節機構３１を介して支持した左右向きの摺動レール３２に左右方向に摺動可能に載置している。上側摺動部材３０は、その断面形状が下向きのＵ字状で、左右方向への摺動が可能となるように、支持枠２５の横架部２５Ｂに左右方向に所定間隔をあけて並ぶ状態に配備した複数のガイドローラ３３に外嵌している。これらの構成から、苗載台１８は、走行車体１の後端上方から苗植付装置４の後端下部にわたる前傾姿勢で、かつ、左右方向に摺動可能な状態で苗植付装置４に装備している。
【００３６】
図３及び図４に示すように、リンク機構３の後端上部には、電動モータからなるローリングモータ３４を配備している。ローリングモータ３４は、左右の操作ワイヤ３５を背反的に出退操作することにより、各操作ワイヤ３５と支持枠２５の横架部２５Ｂとにわたって架設した緩衝バネ３６を介して、苗植付装置４のローリング操作を行うように構成している。そして、苗植付装置４のローリング角度を設定する角度設定器（図示せず）の出力と、苗植付装置４のローリング角度を検出するローリングセンサ（図示せず）の出力とに基づいて、角度設定器の設定角度にローリングセンサの検出角度が一致する（設定角度の不感帯幅内にローリングセンサの検出角度が収まる）状態が得られるように、苗植付装置４のローリング操作を行うことにより、圃場耕盤の起伏や凹凸などにかかわらず、苗植付装置４のローリング角度を角度設定器の設定角度に維持するように構成している。
【００３７】
苗植付装置４は、リンク機構３の後端上部と上側摺動部材３０の左右の各端部とにわたって掛け渡した左右のバランスバネ３７を備えている。これにより、苗載台１８の左右方向への摺動による左右バランスの変化に起因して、走行車体１に対して苗植付装置４が不必要にローリングすることを防止している。
【００３８】
図３〜５に示すように、各整地フロート２２は、それらの後部側を、左右向きのフロート支点軸３８から後下向きに延設した４組の支持アーム３９のうちの対応する支持アーム３９の遊端部（後端部）に上下揺動可能に連結している。フロート支点軸３８には、フロート支点軸３８を介して各支持アーム３９と一体揺動する植深調節レバー４０を、フロート支点軸３８から前上向きに延出する状態で装備している。植深調節レバー４０は、動力分配ケース２１と主支持部材２４とにわたって架設したレバーガイド４１との係合により、任意の操作位置に保持することができる。
【００３９】
この構成から、植深調節レバー４０を上下方向に揺動操作することにより、各植付機構２０に対する各整地フロート２２の高さ位置を一体的に変更することができ、各植付機構２０による圃場への苗の植え付け深さを調節することができる。そして、この調節後に植深調節レバー４０を任意の操作位置にてレバーガイド４１に係合することにより、各植付機構２０による圃場への苗の植え付け深さを、そのときの係合位置に対応する植え付け深さに設定保持することができる。
【００４０】
植深調節レバー４０の右隣には、左右向きの支軸４２から前上向きに延出する苗取量調節レバー４３を配備している。支軸４２には、支軸４２を介して苗取量調節レバー４３と一体揺動する操作アーム４４を、支軸４２から所定の苗取量調節機構３１に向けて延出する状態で装備している。苗取量調節レバー４３は、レバーガイド４１との係合により、任意の操作位置に保持することができる。各苗取量調節機構３１は、対応する伝動ケース２６に装備した軸支部３１Ａと、摺動レール３２に装備した支軸部３１Ｂとから構成している。操作アーム４４は、その上下揺動に連動して、各苗取量調節機構３１における軸支部３１Ａに対して支軸部３１Ｂが苗載台１８に沿って上下方向に摺動変位するように、所定の支軸部３１Ｂに係合している。
【００４１】
この構成から、苗取量調節レバー４３を上下方向に揺動操作することにより、各伝動ケース２６に備えた各植付機構２０に対する苗載台１８の高さ位置を変更することができ、各植付機構２０による苗載台１８に載置した各マット状苗からの苗取り量を調節することができる。そして、その調節後に苗取量調節レバー４３を任意の操作位置にてレバーガイド４１に係合することにより、各植付機構２０による各マット状苗からの苗取り量を、そのときの係合位置に対応する苗取り量に設定保持することができる。
【００４２】
図示は省略するが、苗植付装置４には、２条１組で植付機構２０への伝動を断続する４つの植付用補助クラッチ、及び、２条１組で縦送り機構１９への伝動を断続する４つの縦送用補助クラッチを備えている。これらの各補助クラッチは、搭乗運転部１４に備えた４つの条数選択スイッチの操作に基づいて対応する補助クラッチモータが作動することにより、それらの状態が接続状態と遮断状態とに切り換わるように構成している。
【００４３】
具体的には、全ての条数選択スイッチがオン操作されていない場合は、植付用と縦送用の全ての補助クラッチが接続状態になる全条植え状態が得られるように各補助クラッチモータが作動する。
左外側用の条数選択スイッチがオン操作された場合は、左外側用の植付用と縦送用の各補助クラッチが遮断状態になり、残りの各補助クラッチが接続状態になる右６条植え状態が得られるように各補助クラッチモータが作動する。
左外側用と左内側用の条数選択スイッチがオン操作された場合は、左外側用と左内側用の植付用と縦送用の各補助クラッチが遮断状態になり、残りの各補助クラッチが接続状態になる右４条植え状態が得られるように各補助クラッチモータが作動する。
左外側用と左内側用と右内側用の条数選択スイッチがオン操作された場合は、左外側用と左内側用と右内側用の植付用と縦送用の各補助クラッチが遮断状態になり、残りの各補助クラッチが接続状態になる右２条植え状態が得られるように各補助クラッチモータが作動する。
右外側用の条数選択スイッチがオン操作された場合は、右外側用の植付用と縦送用の各補助クラッチが遮断状態になり、残りの各補助クラッチが接続状態になる左６条植え状態が得られるように各補助クラッチモータが作動する。
右外側用と右内側用の条数選択スイッチがオン操作された場合は、右外側用と右内側用の植付用と縦送用の各補助クラッチが遮断状態になり、残りの各補助クラッチが接続状態になる左４条植え状態が得られるように各補助クラッチモータが作動する。
右外側用と右内側用と左内側用の条数選択スイッチがオン操作された場合は、右外側用と右内側用と左内側用の植付用と縦送用の各補助クラッチが遮断状態になり、残りの各補助クラッチが接続状態になる左２条植え状態が得られるように各補助クラッチモータが作動する。
【００４４】
図１、図２、図６及び図７に示すように、走行車体１の後端部には、運転座席１３と苗植付装置４との間において予備苗を左右方向に並べた状態で載置する予備苗載置台４５を配備している。予備苗載置台４５は、８条分の予備苗を左右方向に摺動可能に載置する横長の載置部４５Ａ、載置部４５Ａの左右中間箇所を支持する第１支柱部４５Ｂ、及び、載置部４５Ａの左右両端箇所を支持する左右の第２支柱部４５Ｃ、などから構成している。第１支柱部４５Ｂは、走行車体１における後端部の左右中央箇所に立設している。左右の第２支柱部４５Ｃは、対応する補助ステップ１７の後端部に立設している。各第２支柱部４５Ｃの下端部には、補助ステップ１７に向けて延出する第１補強リブ４５ａと、補助ステップ１７の後端に沿った左右向きの第２補強リブ４５ｂとを溶接している。
【００４５】
左右の補助ステップ１７は、丸パイプ鋼材からなるフレーム部１７Ａに、板金材からなるステップ部１７Ｂ、及び、第２支柱部４５Ｃとのボルト連結を可能にする台座部１７Ｃ、などを溶接して構成している。各フレーム部１７Ａは、対応する拡張ステップ１５の後端と、走行車体１から後上方に延出した左右の支持部材４６の延出端とにわたるとともに、そのステップ部１７Ｂとの接合箇所における前側部分と後端部分との間に、対応する第２支柱部４５Ｃの第１補強リブ４５ａがステップ部１７Ｂの下方に入り込むことを許容する落差を有するように屈曲形成している。各ステップ部１７Ｂの後端部には、対応する第２支柱部４５Ｃとの干渉を回避するための切欠１７ａを形成している。
【００４６】
この構成により、左右の補助ステップ１７に、それらのフレーム部１７Ａの後端部が対応する第２支柱部４５Ｃの真下に位置する好適な支持状態で左右の第２支柱部４５Ｃを立設するようにしながら、各第２支柱部４５Ｃの第１補強リブ４５ａがステップ部１７Ｂの踏面から上方に突出することを防止している。これにより、予備苗載置台４５の支持強度を高めながら、左右の補助ステップ１７において平坦な広い踏面を確保することができる。
【００４７】
図１に示すように、運転座席１３は、前述したように前後方向に位置調節可能に構成することが一般的であるが、図８に示すように、運転座席１３を、その高さ調節が可能となるように、走行車体１に高さ調節機構４７を介して装備するように構成してもよい。
【００４８】
図８に例示する高さ調節機構４７は、運転座席１３に備えた４本の脚部１３Ａ、走行車体１に備えた座席支持台４８、及び、それらを着脱可能に連結する４本の連結ピン４９、などから構成している。各脚部１３Ａには、４つの貫通孔１３ａを上下方向に一定間隔をあけて並ぶように穿設している。座席支持台４８は、その各脚部１３Ａとの対応箇所のそれぞれに、各脚部１３Ａの貫通孔１３ａに対向する単一の貫通孔４８ａを穿設している。
【００４９】
つまり、運転座席１３の各脚部１３Ａを座席支持台４８にピン連結する際に使用する各脚部１３Ａの貫通孔１３ａを変更することにより、運転座席１３の高さ位置を４段階に変更することができるように構成している。
【００５０】
尚、高さ調節機構４７としては、２段階、３段階、又は５段階以上の運転座席１３の高さ変更が可能となるように構成したものであってもよい。又、運転座席１３としては、その前後位置と高さ位置の調節が可能となるように構成したものであってもよい。
【００５１】
図１、図３、図４、図９及び図１０に示すように、苗植付装置４の前部には、左右の後輪８及び左右内外の補助車輪９，１０が苗植付装置４に向けて撥ね上げた泥を受け止める左右の泥除カバー５０を備えている。泥除カバー５０は、樹脂材のブロー成形により基本形状を維持する剛性を有する板状に形成した主カバー部５１、可撓性を有するビニル樹脂製などの樹脂シートを採用して変形可能に構成した複数の補助カバー部５２、及び、各補助カバー部５２を所定の形状で保持する保持手段Ｃ、などを備えて、左右兼用で、補助カバー部５２の変形による形状の変更が可能となるように構成している。
【００５２】
各主カバー部５１は、それらの上端部を支持枠２５の横架部２５Ｂにブラケット５３を介してボルト連結している。又、それらの下端部を、主支持部材２４に対する各伝動ケース２６のボルト連結を可能にする断面Ｌ字状の連結部材５４に起立形成した連結部５４Ａを利用して、主支持部材２４にボルト連結している。そして、主支持部材２４及び支持枠２５に連結した状態では、ブラケット５３から主支持部材２４にわたる上下長さを有するとともに、それらの内端が対応する内側補助車輪９よりも車体内側に位置し、かつ、それらの外端が対応する外側補助車輪１０よりも車体外側に位置する幅広の左右幅を有する状態で、対応する後輪８及び内外の補助車輪９，１０に後方から対向するように構成している。
【００５３】
各主カバー部５１は、その上下中間領域が前方に向けて膨出する膨出領域５１Ａとなるように、その上下中間領域を湾曲形成している。これにより、その膨出領域５１Ａの後方に配備した左右のマーカモータ２８に各主カバー部５１が干渉することを防止している。又、各整地フロート２２を接地させた作業状態では、各主カバー部５１における膨出領域５１Ａの膨出端が、対向する後輪８及び内外の補助車輪９，１０の後端に近接するように構成している。その結果、左右の後輪８及び左右内外の補助車輪９，１０が撥ね上げる泥の多くを、各主カバー部５１における膨出領域５１Ａの膨出端から下側の下部領域にて受け止めて流下させることができる。
【００５４】
図１１〜１３に示すように、この乗用田植機は、走行車体１の後端部と苗植付装置４とにわたって８条用の施肥装置５５を装備することにより、最大８条の植え付け及び施肥が可能な８条植え用のミッドマウント施肥仕様に仕様変更することができるように構成している。
【００５５】
施肥装置５５は、走行車体１の後端部に配備した４基の繰出機構５６及び電動式のブロワ５７などにより構成している。各繰出機構５６には、走行車体１からの動力を伝達している。ブロワ５７には、走行車体１に搭載したバッテリ（図示せず）からの電力を供給している。各繰出機構５６は、走行車体１からの動力によって作動することにより、それらの上部に連通装備した肥料貯留用のホッパ５８から、２条分の粒状肥料を所定量ずつ繰り出すように構成している。ブロワ５７は、バッテリからの電力によって作動することにより、搬送風を生起して、各繰出機構５６が繰り出した粒状肥料を、各繰出機構５６に２本ずつ連通接続した施肥ホース５９を介して、各整地フロート２２に備えた合計８つの作溝器６０に搬送し、各作溝器６０により形成した圃場の溝内に供給するように構成している。これにより、ホッパ５８に貯留した粒状肥料を所定量ずつ取り出して圃場の泥土内に埋没供給することができる。
【００５６】
図示は省略するが、施肥装置５５には、２条１組で繰出機構５６への伝動を断続する４つの施肥用補助クラッチを備えている。各施肥用補助クラッチは、苗植付装置４の植付用と縦送用の各補助クラッチと同様に、前述した４つの条数選択スイッチの操作に基づいて対応する補助クラッチモータが作動することにより、それらの状態が接続状態と遮断状態とに切り換わるように構成している。
【００５７】
図３、図４及び図９〜１４に示すように、左右の泥除カバー５０において、各主カバー部５１の上部には、対応する走行車体側の各繰出機構５６と苗植付装置側の各作溝器６０とにわたる架設部材Ｂの一例としての施肥ホース５９の挿通を許容する矩形状の３つの開口５１Ｂを左右方向に一定間隔をあけて形成している。又、対応する開口５１Ｂを前側から覆い隠すことが可能な３枚の第１補助カバー部５２Ａを補助カバー部５２の一例として備えている。各第１補助カバー部５２Ａは、それらの上端部分を各主カバー部５１における開口形成箇所の上縁部分に接着している。又、それらの下端部分に、対応する開口５１Ｂを前側から覆い隠す閉塞状態での係合保持を可能にする係止孔５２ａを形成している。そして、それらの係止孔５２ａを利用して、各主カバー部５１における開口形成箇所の下縁部分に前向きに突出装備したフック状の係合爪５１ａに、対応する第１補助カバー部５２Ａの下端部分を係止することにより、各第１補助カバー部５２Ａを閉塞状態にて係止保持することができる。
【００５８】
つまり、各第１補助カバー部５２Ａに形成した係止孔５２ａと、この係止孔５２ａに係入する係合爪５１ａにより、各第１補助カバー部５２Ａを所定の状態としての閉塞状態にて係止保持する保持手段Ｃの一例としての第１保持手段Ｃａを構成している。
【００５９】
そして、この第１保持手段Ｃａを利用して各第１補助カバー部５２Ａを閉塞状態にて係止保持することにより、各泥除カバー５０を、施肥無し仕様の乗用田植機（図１及び図２参照）やリヤマウント施肥仕様の乗用田植機などに適したミッドマウント施肥非対応仕様（図１、図３、図４及び図１０参照）に簡単に仕様変更することができる。これにより、左右の後輪８及び左右内外の補助車輪９，１０の回転に伴って撥ね上がった泥が、泥除カバー５０の各開口５１Ｂを通過して苗植付装置４に付着する、といった不都合の発生を阻止することができる。
【００６０】
又、第１保持手段Ｃａによる各第１補助カバー部５２Ａの閉塞状態での係止保持を解除することにより、各泥除カバー５０を、ミッドマウント施肥仕様の乗用田植機（図１１参照）などに適したミッドマウント施肥対応仕様（図１１〜１４参照）に簡単に仕様変更することができる。これにより、走行車体１と苗植付装置４との間に左右の泥除カバー５０を配備しながらも、対応する走行車体側の各繰出機構５６と苗植付装置側の各作溝器６０とにわたる各施肥ホース５９の配索を、各泥除カバー５０の各開口５１Ｂを利用して簡単かつ適切に行うことができる。
【００６１】
図１、図３、図４及び図１０〜１４に示すように、苗植付装置４には、各整地フロート２２の直前箇所に複数の整地ロータ６１を左右方向に整列配備した整地ロータ有り仕様（図１１〜１４参照）と、複数の整地ロータ６１を装備しない整地ロータ無し仕様（図１、図３、図４及び図１０参照）とがある。
【００６２】
整地ロータ有り仕様では、各整地ロータ６１が、左端の伝動ケース２６から取り出した動力によって左右向きの駆動軸６２を中心にして一体回転することにより、各整地フロート２２による整地前に、畦際旋回時の車輪跡などを精度良く整地するように構成している。又、各整地ロータ６１が苗植付装置４に向けて撥ね上げた泥を受け止める可撓性を有する樹脂製のロータカバー６３を装備している。
【００６３】
図３、図４及び図９〜１４に示すように、左右の泥除カバー５０において、各主カバー部５１の下端部には、泥除カバー５０の下方への延出長さの変更を可能にする第２補助カバー部５２Ｂを補助カバー部５２の一例として備えている。各第２補助カバー部５２Ｂは、それらの上端部を対応する主カバー部５１の下端部に接着して、それらを各主カバー部５１の下端部から垂下させた垂下状態と、それらを各主カバー部５１の後上方に捲り上げた捲上状態とに変更可能に構成している。そして、その垂下状態においては、それらの下端が、各植付機構２０に対する各整地フロート２２の高さ位置を最も低くした最浅植え状態において各整地フロート２２を接地させた最浅植え作業時であっても、対応する整地フロート２２の前端上縁よりも下方に位置する状態が得られるように、それらの上下長さを設定している。又、その捲上状態においては、それらの下端部分の左右両端側と左右中間側との４箇所に形成した係止孔５２ｂを利用して、各主カバー部５１の後下側部分における各係止孔５２ｂとの対応箇所に後向きに突出装備した４つのフック状の係合爪５１ｂに、対応する第２補助カバー部５２Ｂの下端部分を係止することにより、それらの下端が主支持部材２４の下端近くに位置する状態で係止保持することができる。
【００６４】
つまり、各第２補助カバー部５２Ｂに形成した４つの係止孔５２ｂと、これらの係止孔５２ｂに対応する４つの係合爪５１ｂにより、各第２補助カバー部５２Ｂを所定の状態としての捲上状態にて係止保持する保持手段Ｃの一例としての第２保持手段Ｃｂを構成している。
【００６５】
そして、この第２保持手段Ｃｂを利用せずに各第２補助カバー部５２Ｂを垂下状態とすることにより、各泥除カバー５０を、整地ロータ無し仕様の苗植付装置４に適した整地ロータ非対応仕様（図１、図３、図４及び図１０参照）に簡単に仕様変更することができる。これにより、左右の後輪８及び左右内外の補助車輪９，１０が苗植付装置４に向けて撥ね上げた泥を、左右の泥除カバー５０によって確実に受け止めることができ、左右の後輪８及び左右内外の補助車輪９，１０からの泥が、各泥除カバー５０の下端と対応する整地フロート２２の前端上縁との間から苗植付装置４に向けて飛散する、といった不都合の発生を阻止することができる。
【００６６】
又、第２保持手段Ｃｂを利用して各第２補助カバー部５２Ｂを捲上状態にて係止保持することにより、各泥除カバー５０を、整地ロータ有り仕様の苗植付装置４に適した整地ロータ対応仕様（図１１〜１４参照）に簡単に仕様変更することができる。これにより、左右の泥除カバー５０を、それらの第２補助カバー部５２Ｂが各整地ロータ６１に干渉する不都合を招くことなく、走行車体１と苗植付装置４との間に配備することができる。又、捲上状態では、各第２補助カバー部５２Ｂを対応する主カバー部５１の後上方に捲り上げていることから、各第２補助カバー部５２Ｂを対応する主カバー部５１の前上方に捲り上げた場合に生じる、各泥除カバー５０に沿って流下した泥が、各第２補助カバー部５２Ｂの曲げ箇所に堆積する不都合の発生を未然に回避することができる。
【００６７】
要するに、左右の泥除カバー５０を、主カバー部５１と複数の補助カバー部５２と保持手段Ｃとを備えるように構成したことにより、各泥除カバー５０の仕様を、各補助カバー部５２の変形によって、ミッドマウント施肥非対応仕様（図１、図３、図４及び図１０参照）、ミッドマウント施肥対応仕様（図１１〜１４参照）、整地ロータ非対応仕様（図１、図３、図４及び図１０参照）、及び、整地ロータ対応仕様（図１１〜１４参照）に簡単に仕様変更することができる。その結果、各仕様に対応した専用の泥除カバー５０を製造する場合に比較して、製造や部品管理の容易化、及び、コストの削減、などを図ることができる。
【００６８】
〔別実施形態〕
【００６９】
〔１〕水田作業車としては、乗用型に構成した走行車体１の後部に、作業装置Ａの一例としての直播装置を連結した乗用直播機、歩行型に構成した走行車体の後部に、作業装置Ａの一例としての苗植付装置を連結した歩行田植機、又は、歩行型に構成した走行車体の後部に、作業装置Ａの一例としての直播装置を連結した歩行直播機、などであってもよい。
【００７０】
〔２〕作業装置Ａの作業条数としては種々の変更が可能であり、例えば、４条用、６条用、又は１０条用、などに構成したものであってもよい。
【００７１】
〔３〕走行車体１としては、内側補助車輪９又は外側補助車輪１０を備えていないものや、内外両方の補助車輪９，１０を備えていないものであってもよい。
【００７２】
〔４〕図１５及び図１６に示すように、泥除カバー５０としては、主カバー部５１の上部側が苗載台１８の上端にわたるように構成したものであってもよい。
【００７３】
ところで、苗植付装置４には、前述した実施形態で例示したように、苗植付装置４に備えた各補助クラッチの接続状態と遮断状態との切り換えを、搭乗運転部１４に備えた４つの条数選択スイッチの操作に基づく補助クラッチモータの作動によって行うように構成した補助クラッチ電動切り換え仕様と、図１５に示すように、走行車体側からの操作が可能となるように苗植付装置４に備えた操作具Ｄの一例となる４本の補助クラッチレバー６４の操作によって行うように構成した補助クラッチ人為切り換え仕様とがある。
【００７４】
そこで、この別実施形態においては、図１５及び図１６に示すように、左右の泥除カバー５０を、補助クラッチ電動切り換え仕様の苗植付装置４に対応する操作具非対応仕様と、補助クラッチ人為切り換え仕様の苗植付装置４に対応する操作具対応仕様とに簡単に仕様変更できるように構成している。
【００７５】
この構成について詳述すると、各主カバー部５１の上部側に、対応する補助クラッチレバー６４の挿通を許容する矩形状の２つの開口５１Ｃを左右方向に所定間隔をあけて形成している。又、対応する開口５１Ｃを前側から覆い隠すことが可能な２枚の第３補助カバー部５２Ｃを補助カバー部５２の一例として備えている。各第３補助カバー部５２Ｃは、それらの下端部分を各主カバー部５１における操作具用の開口形成箇所の下縁部分に接着している。又、それらの上端部分の左右両端側箇所に、対応する開口５１Ｃを前側から覆い隠す閉塞状態での係合保持を可能にする係止孔５２ｃを形成している。そして、それらの係止孔５２ｃを利用して、各主カバー部５１における操作具用の開口形成箇所の上縁部分に前向きに突出装備した左右のフック状の係合爪５１ｃに、対応する第３補助カバー部５２Ｃの上端部分を係止することにより、各第３補助カバー部５２Ｃを閉塞状態にて係止保持することができる。
【００７６】
つまり、各第３補助カバー部５２Ｃに形成した左右の係止孔５２ｃと、これらの係止孔５２ｃに係入する左右の係合爪５１ｃにより、各第３補助カバー部５２Ｃを所定の状態としての閉塞状態にて係止保持する保持手段Ｃの一例としての第３保持手段Ｃｃを構成している。
【００７７】
そして、この第３保持手段Ｃｃを利用して各第３補助カバー部５２ｃを閉塞状態にて係止保持することにより、各泥除カバー５０を、補助クラッチ電動切り換え仕様の苗植付装置４に適した操作具非対応仕様に簡単に仕様変更することができる。これにより、左右の後輪８及び左右内外の補助車輪９，１０の回転に伴って撥ね上がった泥が、泥除カバー５０における各補助クラッチレバー用の開口５１Ｃを通過して苗植付装置４に付着する、といった不都合の発生を阻止することができる。
【００７８】
又、第３保持手段Ｃｃによる各第３補助カバー部５２Ｃの閉塞状態での係止保持を解除することにより、各泥除カバー５０を、補助クラッチ人為切り換え仕様の苗植付装置４に適した操作具対応仕様に簡単に仕様変更することができる。これにより、走行車体１と苗植付装置４との間に左右の泥除カバー５０を配備しながらも、苗植付装置側に装備した各補助クラッチレバー６４の走行車体側からの操作を可能にすることができる。
【００７９】
〔５〕泥除カバー５０としては、主カバー部５１の上端から苗載台１８の上端にわたる補助カバー部５２を備えるように構成したものであってもよい。
【００８０】
〔６〕泥除カバー５０としては、左右兼用で、補助カバー部５２の変形によって、左側に配備する左側仕様と右側に配備する右側仕様とに簡単に仕様変更できるように構成したものであってもよい。又、左右それぞれ専用に構成したものであってもよい。
【００８１】
〔７〕図１５及び図１６に示すように、泥除カバー５０としては、走行車体側からの操作が可能な操作具Ｄである植深調節レバー４０及び苗取量調節レバー４３の設置対応箇所を補助カバー部５２により形成するように構成したものであってもよい。
【００８２】
この構成について詳述すると、右側の主カバー部５１の左端下側箇所には、植深調節レバー４０及び苗取量調節レバー４３、並びに、レバーガイド４１の係入を許容する切欠５１Ｄを形成している。又、その切欠５１Ｄを前側から覆い隠すことが可能な第４補助カバー部５２Ｄを補助カバー部５２の一例として備えている。第４補助カバー部５２Ｄは、その上端部分を主カバー部５１における切欠形成箇所の上縁部分に接着している。又、その下端部分の左右両端側箇所に、切欠５１Ｄを前側から覆い隠す閉塞状態、及び、切欠５１Ｄを開放する開放状態での係合保持を可能にする係止孔５２ｄを形成している。そして、それらの係止孔５２ｄを利用して、主カバー部５１における切欠形成箇所の下縁部分に前向きに突出装備した左右のフック状の下側係合爪５１ｄに、第４補助カバー部５２Ｄの下端部分を係止することにより、第４補助カバー部５２Ｄを閉塞状態にて係止保持することができる。又、主カバー部５１における切欠形成箇所の上方に前向きに突出装備した左右のフック状の上側係合爪５１ｅに、第４補助カバー部５２Ｄの下端部分を係止することにより、第４補助カバー部５２Ｄを開放状態にて係止保持することができる。
【００８３】
そして、この構成においては、第４補助カバー部５２Ｄに形成した左右の係止孔５２ｄ、並びに、これらの係止孔５２ｂに係入する左右の下側係合爪５１ｄ及び上側係合爪５１ｅにより、第４補助カバー部５２Ｄを所定の状態としての開放状態及び閉塞状態にて係止保持する保持手段Ｃの一例としての第４保持手段Ｃｄを構成している。
【００８４】
〔８〕泥除カバー５０としては、主カバー部５１の下端部を動力分配ケース２１や各伝動ケース２６の前部になどに連結するように構成したものであってもよい。
【００８５】
〔９〕泥除カバー５０としては、リンク機構３の後端部に装備するように構成したものであってもよい。
【００８６】
〔１０〕泥除カバー５０の下端部を補助カバー部５２によって構成する場合には、苗植え付け深さの調節に伴って変化する泥除カバー５０に対する整地フロート２２の高さ位置に応じて、補助カバー部５２の下方への延出長さを変更できるように構成してもよい。
【００８７】
〔１１〕主カバー部５１としては、樹脂材の射出成形などによって基本形状を維持する剛性を有する板状に形成したものであってもよい。又、比較的安価で透明性が高く機械的強度に優れたポリカーボネートなどを採用したものであってもよい。
【００８８】
〔１２〕補助カバー部５２としては、ゴム板などを採用して構成したものであってもよい。又、折り畳みや屈伸などによる変形が可能となるように構成したものであってもよい。更に、部分的に可撓性を有するように構成したものであってもよい。
【００８９】
〔１３〕保持手段Ｃとしては、主カバー部５１に対して着脱可能な樹脂製の係合ピンなどを使用して、補助カバー部５２の所定形状での保持を行うように構成したものであってもよい。
【００９０】
〔１４〕架設部材Ｂとしては、走行車体１に備えた液肥用ポンプから苗植付装置４に備えた液肥滴下部とにわたって架設する液肥ホース、あるいは、走行車体１に備えたバッテリから苗植付装置４に備えた電動式の薬剤散布装置とにわたって架設するワイヤハーネス、などであってもよい。
【産業上の利用可能性】
【００９１】
本発明に係る水田作業車の泥除け構造は、走行車体の後部に連結した作業装置などの仕様に応じて形状の異なる泥除カバーを装備する必要のある乗用田植機や乗用直播機などの水田作業車に適用することができる。
【符号の説明】
【００９２】
１    走行車体
８    車輪（後輪）
９    車輪（内側補助車輪）
１０  車輪（外側補助車輪）
５０  泥除カバー
５１  主カバー部
５２  補助カバー部
Ａ    作業装置
Ｂ    架設部材
Ｃ    保持手段
Ｄ    操作具
【図１】
2014100125.tif 000003
【図２】
2014100125.tif 000004
【図３】
2014100125.tif 000005
【図４】
2014100125.tif 000006
【図５】
2014100125.tif 000007
【図６】
2014100125.tif 000008
【図７】
2014100125.tif 000009
【図８】
2014100125.tif 000010
【図９】
2014100125.tif 000011
【図１０】
2014100125.tif 000012
【図１１】
2014100125.tif 000013
【図１２】
2014100125.tif 000014
【図１３】
2014100125.tif 000015
【図１４】
2014100125.tif 000016
【図１５】
2014100125.tif 000017
【図１６】
2014100125.tif 000018